(57)【要約】  【課題】  開口部より内部にフレーム付クッション体を装入するトリムカバーにおいて、開口部を閉口する閉口部材の露出部分を少なくしてトリムカバーによって形成されるシートなどの外観品質を向上させることである。  【手段】  トリムカバー２Ａ、２Ｂの開口部を構成する端末２０Ａ、２０Ｂと、エレメント１１Ａ付テープ１０Ａとをエレメント１１Ａ側において一体に溶着したことを特徴とする。【選択図】            図２
2011177198.tif 000002
【特許請求の範囲】
【請求項１】
開口部を構成する左右一対の端末に沿ってテープと、この左右一対のテープに相互に噛合して開口部を閉口するエレメントを有し、内部にフレーム付クッション体を装入する袋状のトレムカバーであって、
前記開口部の左右一対の端末と前記テープとは前記エレメント側において一体に溶着してなる袋状とレムカバーの閉口構造。
【発明の詳細な説明】
【技術分野】
【０００１】
本発明は自動車用シート、アームレスト、ヘッドレストなど袋状に縫製したトリムカバー。詳しくはトリムカバーの開口部の閉口構造に関する。
【背景技術】
【０００２】
従来の自動車用シートには、例えば、図４に示すように、袋状に縫製したトリムカバー２Ａ、２Ｂでフレームに支持したウレタンフォームなどのクッション体を被覆し、そのトリムカバー２Ａ、２Ｂの開口部をスライドファスナーＦで閉口したものがある。
【０００３】
図中ＳＢはシートバック、ＳＣはシートクッションを示す。
【０００４】
このシートバックＳＢの背面にはスライドファスナーＦ、Ｆが露出するため、シートバックＳＢの外観品質が損なわれる。
【０００５】
このスライドファスナーＦは、図５に示すように、トリムカバー２Ａ、２Ｂの開口部端縁２０Ａ、２０Ｂに、スライドファスナーＦのファスナーテープ５１Ａ、５１Ｂをミシンで一体に縫糸５０、５０によって縫着している。なお、各スライドファスナーテープ５１Ａ、５１Ｂには相互に噛合するエレメント５２Ａ、５２Ｂが一体に設けてある。
【０００６】
以上の縫糸５０、５０による縫着は、ミシンのテーブル盤上に載置して重ねたテープ５１Ａ又は５１Ｂとトリムカバー２Ａ又は２Ｂにおける開口部端縁２０Ａ、又は２０Ｂを外押さえ、中押さえによって送り歯方向に押さえながら行われる。
【０００７】
そのため、少なくとも、外押さえの幅（縫着方向に対して直交方向）分以上の縫い代がテープ５１Ａ、トリムカバーの開口部端縁２０Ａに必要となるし、エレメント５２Ａ、５２Ｂの近傍を縫着できない。
【０００８】
従って、縫糸５０によってテープ５１Ａと、開口部端縁２０Ａとを縫着したものは、図５に示すように、エレメント５２Ａと折り返した開口部端縁との間隔Ｗ&#8321;が広くなり、この広い部分が外部に露出する。
また、縫着後、トリムカバー２Ａ、２Ｂを折り返すと、縫着ラインのみだれによる折り返し端縁の蛇行が生じ、外観品質を損なれていた。
【発明の概要】
【発明が解決しようとする課題】
【０００９】
そこで、本発明は以上の如く、ファスナーで袋状のトリムカバーの開口部を閉口することにより、シートなどを形成するものにおいて、ファスナーが大きく外部に露出することがないようにすることを目的とする。
【課題を解決するための手段】
【００１０】
以上の目的を達成するための本発明に係る袋状トリムカバーの閉口構造は、トリムカバーの開口部を構成する左右一対の端末と、エレメント付のテープとを、エレメント側において一体に溶着してなることを特徴とする。
【００１１】
以上のエレメントはスライドファスナー、面状ファスナ、相互に係合するＵ字状などの鉤状部材であり、溶着は超音波、高周波などに行い、例えば超音波による溶着は超音波ミシンを使用するのが好ましい。
【００１２】
従って、ミシンで縫着するものに対して、エレメントに近接した個所でテープをトリムカバーの端末に超音波などのミシンで溶着できる。
【発明の効果】
【００１３】
本発明によれば、エレメントでトリムカバーの開口部を閉口した際、テープにおける外部露出部分が少なくなり、シートなどの外観品質を向上し得る。
【図面の簡単な説明】
【００１４】
【図１】トリムカバーの開口部の開口状態の部分断面図。
【図２】トリムカバーの開口部の閉口状態の部分断面図。
【図３】テープをトリムカバーに溶着する状態の断面図。
【図４】従来の自動車用シートの斜視図。
【図５】従来のトリムカバーの閉口状態の部分断面図。
【発明を実施するための最良の形態】
【００１５】
図１、図２に基づいて本発明の一実施例を説明する。図１はスライドファスナーによってトリムカバー２Ａ、２Ａの開口状態、図2は閉口状態を各々示す。
【００１６】
図中１０Ａ、１０Ｂはスライドファスナーのテープ、１１Ａ、１０Ｂは相互に噛合するスライドファスナーのエレメントを示し、このエレメント１１Ａ、１１Ｂはテープ１０Ａ、１０Ｂの先端に一体に固着されている従来周知のものである。
【００１７】
図中２Ａ、２Ａは袋状に形成して開口部より内部にフレーム付のウレタンフォームなどのクッション体を装入するトリムカバーで、開口部を構成する左右一対の端末２０Ａ、２０Ｂに沿って前記テープ１０Ａ、１０Ｂが超音波、高周波などによって一体に溶着されている。図中（イ）は、溶着部を示す。
【００１８】
そして、以上の端末２０Ａ、２０Ｂにテープ１０Ａ、１０Ｂを溶着後、トリムカバー２Ａ、２Ｂは表面が外面になるように折り返されて、袋状に形成される。
【００１９】
以上の溶着は図３に示すように、上電極３０がエレメント１１Ａの側面に接合するように、即ち、エレメント１１Ａの側面をガイドとしてテープ１０Ａと端末２０Ａとを下電極４に加圧して溶着する。
【００２０】
従って、テープ１０Ａのエレメント１１Ａに近接して端末２０Ａに溶着する。そして、溶着強度を向上させるために、別の上電極３１、３２で、テープ１０Ａを端末２０Ａに溶着するのが好ましい。
【００２１】
また、この溶着はミシンタイプの超音波連続溶着機を使用して行うのが望ましく、図示する電極は棒状であるが、ローラ状のものを使用して線状に溶着しても良い。
【００２２】
従って、以上のトリムカバー２Ａ、２Ｂの端末２０Ａ、２０Ｂ、テープ１０Ａ、１０Ｂは熱可塑性素材のものを使用している。
【００２３】
以上の如く、テープ１０Ａ、１０Ｂのエレメント１１Ａ、１１Ｂ側を溶着することにより、図２に示すように、エレメント１１Ａ、１１Ｂをスライダー等で噛合して、トリムカバー２Ａ、２Ｂの開口部を閉口すると、外部に露出する部分のファスナーの幅Ｗ&#8322;は狭くなる。
【００２４】
そのため、シート、アームレスト、ヘッドレスト用の袋状トリムカバーの開口部を、前記閉口構造にすることにより、シートなどの外観品質を向上させることができる。
【００２５】
なお、超音波溶着機の代わりに、高周波ウェルダー、熱盤プレス、インパルウェルダーを使用して溶着しても良い。
【００２６】
なお、エレメントは例えば面状ファスナーなど相互に噛合するものであれば、図示するスライドファスナーに限定されるものでない。
【符号の説明】
【００２７】
２Ａ、２Ｂはトリムカバー
２０Ａ、２０Ｂは開口部を構成するトリムカバーの端末
１０Ａ、１０Ｂはテープ
１１Ａ、１１Ｂはエレメント
【図１】
2011177198.tif 000003
【図２】
2011177198.tif 000004
【図３】
2011177198.tif 000005
【図４】
2011177198.tif 000006
【図５】
2011177198.tif 000007